(57)【要約】【課題】  足をフットボード上面の任意の位置に落とすだけで安定した音を奏でられるドラム用フットペダルを提供する。【解決手段】  フレーム３，４，５に取り付けられたフットボード９の踏み込み操作によってビーター１０を回動させ、ドラムのヘッドを打撃するドラム用フットペダル１であって、前記フットボード９の前端部および後端部を上下動可能に支持するとともに、前記フットボード９を上下に並進運動させるボード並進機構９１を備えている。
2011062243.tif 000002
【特許請求の範囲】
【請求項１】
フレームに取り付けられたフットボードの踏み込み操作によってビーターを回動させ、ドラムのヘッドを打撃するドラム用フットペダルであって、
前記フットボードの前端部および後端部を上下動可能に支持するとともに、前記フットボードを上下に並進運動させるボード並進機構を備えているドラム用フットペダル。
【請求項２】
前記ボード並進機構は、少なくとも２つの揺動部材を有しており、これら揺動部材の各一端部が前記フレームの異なる位置に基端部として回転自在に連結されているとともに、前記各揺動部材の各他端部が前記フットボードの異なる位置に自由端部として回転自在に連結されている請求項１に記載のドラム用フットペダル。
【請求項３】
前記ボード並進機構には、前記フットボードの前端部の上下動幅および／または前記フットボードの後端部の上下動幅を調整可能な上下動幅調整手段が備えられている請求項１または請求項２に記載のドラム用フットペダル。
【請求項４】
前記上下動幅調整手段において、前記フットボードの後端部と前端部の上下動幅の調整許容比率は１：６〜６：１の範囲に設定されている請求項３に記載のドラム用フットペダル。
【請求項５】
前記フットボードの後端部の下方には、踏み込み操作時の踵を支える踏み台が配置されている請求項１から請求項４に記載のドラム用フットペダル。
【請求項６】
前記踏み台は、前後の位置および／または高さを調整可能に構成されている請求項５に記載のドラム用フットペダル。
【請求項７】
前記フットボードの下方には、前記ビーターが前記ドラムの前記ヘッドを打撃したときの前記フットボードの高さと等しい高さを有し、前記フットボードの過剰ストロークを抑制するストッパーが配置されている請求項１から請求項６のいずれかに記載のドラム用フットペダル。  
【請求項８】
前記ビーターおよび前記フットボードを操作前の待機位置に復帰させる復帰手段が設けられているとともに、前記復帰手段を補助する復帰補助手段が前記フットボードの下方に配置されている請求項１から請求項７のいずれかに記載のドラム用フットペダル。
【発明の詳細な説明】
【技術分野】
【０００１】
本発明は、ドラム用フットペダルに関するものである。
【背景技術】
【０００２】
従来のドラム用フットペダルは、全体を支えるフレームと、そのフレームに配置されたフットボードと、そのフットボードの踏み込み操作によって回動されてバスドラムのヘッド（振動膜）を叩くビーターと、バネ等の弾性材料の付勢力により前記ビーターおよび前記フットボードを踏み込み操作する前の待機位置に戻す復帰手段とにより構成されているドラム用の操作器具である。また、従来の前記フットボードは、おおよそ平面状に形成されているとともに、その後端部を固定された支点として前端部が上下可動するように構成されており、テコの原理によって操作するようになっている。【０００３】
近年では、演奏時にフットボードに触れる足の前方面には滑り止めを施したり、逆に平滑に加工して滑りやすくしたりと演奏者の奏法や好みに対応するための調整手段が種々提案されている。また、復帰手段の弾性材料に板バネや磁石を用いているものもある。【０００４】
また、例えば特開平８−９５５５７号公報には、フットボードが取り付けられたフレームと、前記フットボードの踏み込み操作によって回動される回動軸と、前記フットボードの側方に位置して前記回動軸に配設されたドラムヘッドを打撃するビータと、前記回動軸に復帰方向の回動修正を付与する復帰ばねと、前記フレームに配設されて前記回動軸を上下方向に回動自在に軸支する遊星歯車機構とを備えたことを特徴とするドラム用フットペダルが提案されている（特許文献１）。この特許文献１には、遊星歯車機構がスティックによりドラムを打撃するときの腕と同等な働きをするため、より自然な打撃フィーリングに近づけることができると記載されている。
【先行技術文献】
【特許文献】
【０００５】
【特許文献１】特開平８−９５５５７号公報
【発明の概要】
【発明が解決しようとする課題】
【０００６】
しかしながら、特許文献１に記載された発明を含め、従来のドラム用フットペダルにおけるフットボードは、その後端部を支点とし、フットボード上の踏み位置の違いによって力の伝わり方や上下可動幅が一定ではなく、また足のつま先や踵等による踏み位置、つまり奏法によっても力の伝わり方や上下可動幅が一定ではない。このため、以下のような問題がある。【０００７】
まず、バスドラムは、ドラムセットの中で最も低音を担うものであり、基本となるリズムを刻むものであることから、力強く、かつ一定した音量の音を出すことが求められる。従来のドラム用フットペダルを操作する場合には、力強い音を出すためにフットボードの前端部側を強く踏む必要がある。しかし、初心者や不慣れな奏者は、踏む位置が安定しないため、良いリズムや安定した音量を出すのが難しい。しかも無駄な力を踏み込むためにすぐ疲れてしまう。なお、脚力の弱い人や足首の動きが不自由な人には、前端部を踏むことが極めて困難なものである。【０００８】
また、フットボードの後端部と前端部とでは、上下動幅が異なるのでドラムを連打する場合には上下動幅の違いに合わせたテクニックが必要であるし、脚や足にとって負担の大きいものであった。【０００９】
ところで、バスドラムを連打するテクニックとして、スライド奏法やアップダウン奏法というものがある。スライド奏法は、フットボード上で足をスライドさせて連打する奏法である。例えば、つま先でフットボードの後端部を踏むことで一打目を叩き、そのつま先をフットボードの前端側にスライドさせるようにして二打目を叩く奏法である。しかし、従来のドラム用フットペダルを使ってスライド奏法を行う場合、その二打目において、スライドさせたつま先の位置が高すぎるとフットボードを強く踏み込めず、ビーターがバスドラムのヘッドに届かずに音が出なかったり、音が弱々しくなることがある。逆に、スライドさせる位置が低すぎると、一打目を叩いたビーターが待機位置に戻りきらず、ビーターの振り幅が狭くなって二打目の音が出なかったり、弱々しい音となってしまうことがある。このため、スライド奏法により安定した音をリズミカルに連打するには熟練したテクニックが必要であった。【００１０】
一方、アップダウン奏法は、踵や土踏まずで一打目を叩き、つま先を踏み倒すことで、二打目を打つ奏法である。タップ奏法などとも言われ、足を下ろしてからつま先を踏み倒す動作と、バスドラムのヘッドを叩く回数が等しく、直感的に分かりやすい奏法である。しかし、従来のドラム用フットペダルでは、フットボードの後端部の踏み込む支点に対して前端部をつま先で大きく踏み倒す必要があり、足首や脛の筋肉の疲労が激しく、長い演奏には不向きであった。【００１１】
本発明は、以上のような問題点を解決するためになされたものであって、足をフットボード上面の任意の位置に落とすだけで安定した音を奏でられるドラム用フットペダルを提供することを目的としている。
【課題を解決するための手段】
【００１２】
本発明に係るドラム用フットペダルは、フレームに取り付けられたフットボードの踏み込み操作によってビーターを回動させ、ドラムのヘッドを打撃するドラム用フットペダルであって、前記フットボードの前端部および後端部を上下動可能に支持するとともに、前記フットボードを上下に並進運動させるボード並進機構を備えている。【００１３】
また、本発明において、前記ボード並進機構の一例として、少なくとも２つの揺動部材を有しており、これら揺動部材の各一端部が前記フレームの異なる位置に基端部として回転自在に連結されているとともに、前記各揺動部材の各他端部が前記フットボードの異なる位置に自由端部として回転自在に連結されている構成であってもよい。【００１４】
さらに、本発明において、前記ボード並進機構には、前記フットボードの前端部の上下動幅および／または前記フットボードの後端部の上下動幅を調整可能な上下動幅調整手段が備えられてもよい。【００１５】
また、本発明において、前記上下動幅調整手段において、前記フットボードの後端部と前端部の上下動幅の調整許容比率は１：６〜６：１の範囲に設定されてもよい。【００１６】
さらに、本発明において、前記フットボードの後端部の下方には、踏み込み操作時の踵を支える踏み台が配置されていてもよい。【００１７】
また、本発明において、前記踏み台は、前後の位置および／または高さを調整可能に構成されていてもよい。【００１８】
さらに、本発明において、前記フットボードの下方には、前記ビーターが前記ドラムの前記ヘッドを打撃したときの前記フットボードの高さと等しい高さを有し、前記フットボードの過剰ストロークを抑制するようにしてもよい。【００１９】
また、本発明において、前記ビーターおよび前記フットボードを操作前の待機位置に復帰させる復帰手段が設けられているとともに、前記復帰手段を補助する復帰補助手段が前記フットボードの下方に配置されていてもよい。
【発明の効果】
【００２０】
本発明によれば、フットボードの後端部を含めて、その上面のいずれの位置であっても任意に足が触れた位置が力点となる。よってフットボード上面のどの位置で踏んでもほぼ同じ力をペダルに伝えることができ、また、つま先、踵等のどこで踏んでも同じ力をペダルに伝えることができる。これらに加えて足全体の重みと重力を有効に利用できるので、演奏者は足の無駄な筋力を使わなくてすみリラックスした状態を保つことができる。また、従来のスライド奏法やアップダウン奏法による連打が容易になり、しかも必ずしもそのような操作テクニックを身につけなくても容易に連打することができる。
【図面の簡単な説明】
【００２１】
【図１】本発明に係るドラム用フットペダルの実施例１およびバスドラムを示す（Ａ）側面図と、（Ｂ）フットボード等を省略した正面図である。
【図２】本発明の実施例１における（Ａ）踏込み前の状態と、（Ｂ）踏込み後の状態を示す側面図である。
【図３】実施例１における他の実施形態を示す斜視図である。
【図４】本発明において揺動部材にアジャスト機構を備えた実施例２を示す側面図である。
【図５】本発明において揺動部材にアジャスト機構を備えた実施例３を示す平面図である。
【図６】本発明の実施例４を示す（Ａ）側面図と、（Ｂ）リンク機構の拡大斜視図である。
【図７】本発明の実施例５を示す（Ａ）側面図と、（Ｂ）平面図である。
【図８】実施例５におけるリニアガイド取付けパターン（Ａ）〜（Ｇ）を示す平面図である。
【図９】図８における取り付けパターン（Ｇ）を示す（Ａ）平面図と、（Ｂ）側面図である。
【図１０】本発明においてフットボードの下面にストッパーを設けた実施例６を示す（Ａ）側面図と、（Ｂ）側面図である。
【図１１】実施例６におけるストッパー取り付けパターン（Ａ）〜（Ｄ）を示す拡大側面図である。
【図１２】本発明の実施例７を示す側面図である。
【図１３】本実施形態における他の踏力伝達部材およびロッカーを示す（Ａ）側面図と、（Ｂ）平面図である。
【発明を実施するための形態】
【００２２】
以下、本発明に係るドラム用フットペダルの実施形態について各実施例の図面を参照しつつ詳細に説明する。
【実施例１】
【００２３】
図１（Ａ）は本発明の実施例１を示すドラム用フットペダル１の側面図（バスドラムＤ含む）、図１（Ｂ）は概略正面図（フットボード等省略）である。本実施例１におけるドラム用フットペダル１は、バスドラムＤに取付けるためのクランプ部２と、床面に設置される底部フレーム３と、その底部フレーム３の左右に立設される支柱フレーム４，５と、その支柱フレーム４，５に設置されて踏み込み操作を行う平板状のフットボード９と、このフットボード９を上下に並進運動させるボード並進機構９１と、前記支柱フレーム４，５の相互間に回動自在に支持されるシャフト６と、このシャフト６のほぼ中央に固定されるロッカー７と、前記フットボード９の踏力を前記ビーター１０に伝える踏力伝達部材８と、前記ロッカー７と一体の動きをする前記ビーター１０を保持する機能を持つビーターシャフトロッカー１１と、前記ビーター１０および前記フットボード９を踏み込み操作する前の待機位置に戻す復帰手段１２とから構成されている。【００２４】
本発明におけるボード並進機構は、フットボードを上下に並進運動させるものである。ここで並進運動とは、一般的には回転や変形をせずに平行移動する運動をいうが、本発明の並進運動には、フットボードの前端部と後端部が平行移動する場合の他、本各実施例で示す揺動部材による回転運動により平行移動に近似する移動の場合も含む。例えば、フットボードの前端部の上下動幅と後端部の上下動幅とが同一である場合はもとより、実施例４および実施例７に示すように、前記前端部の上下動幅と前記後端部の上下動幅とが異なる場合も含まれる。この場合、ドラム用フットペダルの実用上、前記フットボードの後端部と前端部の各上下動幅の許容比率は、１：６〜６：１の範囲が好ましく、１：１〜１：２の範囲であることがより好ましい。このような意味において略並進運動をすると言い換えることもできる。【００２５】
そして、本実施例１におけるボード並進機構９１は、少なくとも２つの揺動部材１３，１４を有しており、これら揺動部材１３，１４の一端部が前記支柱フレーム４，５の異なる位置に基端部として回転自在に連結されているとともに、前記各揺動部材１３，１４の他端部が前記フットボード９の異なる位置に自由端部として回転自在に連結されている。なお、実施例７で示すように、揺動部材１３，１４の一端部が基端部として連結される部材は、底部フレーム３であってもよい。【００２６】
本実施例１におけるボード並進機構９１は、図１および図２に示すように、主として、支柱フレーム４，５とフットボード９を回転自在に連結する第一揺動部材であるのアッパーアーム１３ａ，１３ｂ、および、そのアッパーアーム１３ａ，１３ｂより下位置で支柱フレーム４，５とフットボード９を回転自在に連結する第二揺動部材であるロワーアーム１４ａ，１４ｂから構成されている。【００２７】
アッパーアーム１３ａ，１３ｂは、図１（Ｂ）に示すように、支柱フレーム４，５と、フットボード９の前端部の両端における一直線上の対応位置Ａ、Ｂの２箇所に設けられている。また、ロワーアーム１４ａ，１４ｂは、支柱フレーム４，５とフットボード９の前端部の両端における一直線上の対応位置Ｃ、Ｄの２箇所に設けられている。【００２８】
また、アッパーアーム１３ａ，１３ｂおよびロワーアーム１４ａ，１４ｂと、支柱フレーム４，５およびフットボード９との連結部１５には、ベアリングが設けられており、アッパーアーム１３ａ，１３ｂおよびロワーアーム１４ａ，１４ｂを回転自在に軸支している。【００２９】
また、フットボード９の前端には、ロッカー７と踏力伝達部材８との位置に適宜調整された位置であって所定の形状からなる踏力伝達部１６が備えられており、前記踏力伝達部材８と前記踏力伝達部１６とは回転自在な連結部１７により軸支されている。【００３０】
踏力伝達部材８はチェーンや樹脂等でできたベルト、チタンやアルミ等の金属類を使用するのが一般的である。本実施例１では、踏力伝達部１６として、フットボード９の前端を支柱フレーム４，５の間を通り、ロッカー７の伝達を受ける位置の真下まで伸ばした構成を採用している。なお、フットボード９の形状や素材などは設計上の問題であり任意に選択してよい。【００３１】
復帰手段１２は、シャフト６と接続されて、フットボード９を浮遊した状態に保持している。本実施例１では、復帰手段１２として、図１（Ａ）および（Ｂ）に示すようなコイルスプリングを用い、その付勢力によりフットボード９を浮遊した状態に保持しているが、特に限定されるものではなく、板ばねやゴム等の弾性材料や磁石等を用いることができ、形状や素材等についても適宜変更してよい。【００３２】
次に、本実施例１のドラム用フットペダル１における各構成の作用について説明する。図２（Ａ）は本実施例１のドラム用フットペダル１を踏み込む前のポジションであり、図２（Ｂ）は踏み込んだときのポジションである。【００３３】
フットボード９は、操作前において、復帰手段１２であるスプリングの付勢力により、図２（Ａ）に示すような空中に浮かんだ状態で待機位置に保持されている。【００３４】
前記フットボード９が踏み込まれると、アッパーアーム１３ａ，１３ｂおよびロワーアーム１４ａ，１４ｂに踏力が伝達されて、前記アッパーアーム１３ａ，１３ｂおよび前記ロワーアーム１４ａ，１４ｂが、支柱フレーム４，５との連結部１５を中心に回転する。これにより、フットボード９は、待機位置における角度を保ったまま下方へと並進運動する。【００３５】
次に、フットボード９の上下動作は、踏力伝達部１６を介して前記フットボード９の前端部に設けられた踏力伝達部材８に伝えられる。そして、踏力伝達部材８がロッカー７を引っ張り、シャフト６を回転させることにより、シャフト６に取り付けられたビーター１０が、シャフト６とともに回転し、バスドラムＤのヘッドを叩き、音を発生させる。【００３６】
本発明におけるフットボード９は上記の通り並進運動するため、フットボード９上面における任意の位置を踏み込んでも、その踏み込み幅に対するビーター１０に伝達される力は一定となる。【００３７】
そして、フットボード９から足を離すと復帰手段１２の付勢力により、フットボード９およびビーター１０は待機位置に戻り、図２（Ａ）に示すような空中に浮かんだ状態に復帰する。【００３８】
以上のような実施例１によれば、以下のような効果が得られる。
１．フットボード９の上面のどの位置を踏んでも、またつま先、踵等のどこを使って踏んでも等しい力をビーター１０に伝えることができる。
２．足全体の重みと重力を有効に利用できるので、演奏者は足の無駄な筋力を使わなくてすみリラックスした状態を保つことができる。このため、長時間の演奏も疲れにくく苦にならない。
３．特にドラムを連打する場合には、操作する脚の動きが無駄なく小さくできるし、難しいテクニックを必要としないため、容易かつリズミカルに連打することができる。【００３９】
なお、本実施例１におけるボード並進機構９１は、第一揺動部材のアッパーアーム１３ａ，１３ｂを左右に２本、第二揺動部材のロワーアーム１４ａ，１４ｂを左右に２本使用する、計４本の揺動部材を用いてフットボード９の並進運動を実現しているが、これに限定されるものではない。例えば、図３に示すように、第一揺動部材のアッパーアーム１３ａを１本、第二揺動部材のロワーアーム１４ａを１本の片持ち式の機構や、図示しないが第一揺動部材のアッパーアームを１本、第二揺動部材のロワーアームを２本、またその逆の本数等の機構を採用してもよい。このように揺動部材の設置数、形状や素材等は適宜選択・変更してもよい。【００４０】
また、図１（Ａ）に示すように、フットボード９等の復帰手段１２としてコイルスプリングを用いているが、フットボード９の下部の床面側若しくは底部フレーム３側に押しバネを装着する手段や、引きバネと併用して設置することもできる。【００４１】
次に、本発明に係るドラム用フットペダルの他の実施例について図面を用いて説明する。なお、以下の各実施例のうち、前述した実施例１の構成と同一若しくは相当する構成については同一の符号を付して再度の説明を省略する。
【実施例２】
【００４２】
実施例２は、基本的に実施例１と共通する技術的思想であり、図４に示すように、第一揺動部材（第二揺動部材でも可）のアッパーアーム１３に長さ調整機能を備え、並進運動するフットボード９の床面に対する角度を調整可能にしたものである。【００４３】
本実施例２において、第一揺動部材のアッパーアーム１３は、第一揺動部材フロント部１８と第一揺動部材リア部１９とに分割されており、それぞれ向かい合う端部には、一方が右ネジ、もう一方が左ネジ（逆ネジ）のネジ加工が施され、これらと螺合可能なアジャストスクリュー部２０が連結されている。よって、本実施例２におけるアッパーアーム１３は、アジャストスクリュー部２０を回転させることにより、長さが可変であり、フットボード９の角度を任意に設定可能となっている（アジャスト機構）。【００４４】
また、第二揺動部材のロワーアーム１４は、第一揺動部材のアッパーアーム１３と異なる位置（前記同一直線上以外の位置）である、フットボード９の下部に取り付けられている。さらに、踏力伝達部１６および回転自在な連結部１７は、図４に示すように、アッパーアーム１３とロワーアーム１４の中間位置に配置されている（ビーター、復帰手段等は図示しない）。【００４５】
なお、本実施例２におけるボード並進機構９１は、アッパーアーム１３とロワーアーム１４をそれぞれ１本ずつ使用するものであるが、実施例１と同様に、少なくとも２つの揺動部材１３，１４を有しており、これら揺動部材１３，１４の各一端部が前記支柱フレーム４，５の異なる位置に基端部として回転自在に連結されているとともに、前記各揺動部材１３，１４の各他端部が前記フットボード９の異なる位置に自由端部として回転自在に連結されていれば、揺動部材１３，１４の設置数、形状や素材等は適宜選択変更してよい。【００４６】
以上のように、本実施例２によれば、実施例１の作用効果に加えて、フットボード９を床面に対し任意の角度に設定することができるため、奏者の好みや操作のし易さに応じて任意に調整することができる。特に、従来慣れ親しんでいるスライド奏法やアップダウン奏法をそのまま採用しつつ、より連打が容易に行えるようになる。【００４７】
具体的には、スライド奏法を行う場合、二打目のビーター１０の振り幅は、スライドさせたつま先の位置の高低にかかわらず踏み込み幅によって決定するため、容易に踏むことができる。すなわち、つま先の位置によって二打目の音が出なかったり、弱くなったりすることを防止することができる。【００４８】
また、本実施例２においてアップダウン奏法を行う場合、二打目のつま先を踏み倒す幅は、従来に比べて小さくできるため、操作の負担や疲労が軽減され、長い演奏も楽にできる。
【実施例３】
【００４９】
図５は、第一揺動部材のアッパーアーム１３とフットボード９、支柱フレーム４，５の上面を示す平面図である（第二揺動部材、ビーター等は省略）。【００５０】
本実施例３は基本的に実施例１、２と共通の技術的思想である。実施例１、２では、図１または図４に示すように、同一直線上にある２つ一組の第一揺動部材１３を、支柱フレーム４，５とフットボード９の両端に取り付ける形態であるが、本実施例３では、図５に示すように、第一揺動部材１３をワンボディ化し、さらに長さ調整機能を備えさせたものである。【００５１】
すなわち、実施例３の第一揺動部材１３は、第一揺動部材フロント部２１と、第一揺動部材リア部２３とからなり、支柱フレーム４，５および前記第一揺動部材フロント部２１を貫通して回転自在に連結させるフロント部軸体２２と、フットボード９の前端部および第一揺動部材リア部２３を貫通して回転自在に連結させるリア部軸体２４とを有している。【００５２】
また、第一揺動部材フロント部２１と第一揺動部材リア部２３を前述した実施例２と同様にネジ加工し、アジャストスクリュー部２０で連結している。これによりフットボード９の角度を任意に設定可能とされている。【００５３】
なお、第二揺動部材は図示していないが、第一揺動部材１３の同一直線上の連結部とは異なる同一直線上に第二揺動部材および第二揺動部材の連結部が設けられてもよい。
【実施例４】
【００５４】
実施例４は、基本的に実施例１〜３と共通する技術的思想であり、ボード並進機構９１として、フットボード９の下部にマジックハンド式（パンタグラフ式）のリンク機構を用いてフットボード９の並進運動を実現するものである。【００５５】
本実施例４におけるボード並進機構９１は、少なくとも２つの揺動部材を有しており、これらが略中央位置で揺動自在に連結されている。そして、一方の揺動部材の一端部が底部フレームに基端部として回転自在に連結され、他端部が前記フットボード９に自由端部として回転自在であって、かつ前記フットボード９に沿って前後往復動自在に連結されている。また、他方の揺動部材については、その一端部が前記フットボード９に基端部として回転自在に連結され、他端部が前記底部フレームに自由端部として回転自在であって、かつ前記底部フレームに沿って前後往復動自在に連結されている【００５６】
具体的には、図６（Ａ）に示すように、揺動部材としてのリンクアーム２６，２７が、ほぼ中央位置の軸支部２５において互いに交差するように回転可能に連結されている。本リンク機構は、前記リンクアーム２６，２７の上側でフットボード９を支持する構造であって、連結部２８と連結部２９はフットボード９と底部フレーム３のそれぞれにおいて回転自在に軸支固定されている。また、連結部３０と連結部３１は、フットボード９の上下動に合わせてフットボード９の裏面および底部フレーム３上を前後に往復動可能なリニアガイド３３等により滑合されている。【００５７】
図６（Ｂ）はリンク機構部分を抽出した斜視図である。リンクアーム２６，２７は、フットボード９の左右の２箇所に連結されており、左右のリンクアーム２６，２７を互いの連結部２８，２９，３０，３１にシャフト３２を通して軸支してフットボード９の可動を安定させている。【００５８】
また、図示しないが、リンクアーム２６，２７の長さを調整する機構を別途追加してもよいし、または軸支部２５の位置を変更可能に構成してもよい。これにより、床面に対してフットボード９の傾斜角度を調整することができ、また、フットボード９の前端部と後端部の並進度を変えることが可能となり、演奏者の好みに応じてセッティングを行うことができる。【００５９】
なお、リンクの種類はマジックハンド式（パンタグラフ式）をはじめクランクスライダー式、より複雑なワット機構、スコットラッセル機構等、多数存在するが、重要なのはフットボード９が並進運動することであり、リンクの構造や形状、また素材等は適宜、選択変更可能である。
【実施例５】
【００６０】
実施例５は基本的に実施例１〜４と共通する技術的思想であり、ボード並進機構９１として、フットボード９と底部フレーム３の間における適宜の位置に、少なくとも１つ以上のリニアガイド３３を用いたものである。図７（Ａ）は本実施例５の側面図、（Ｂ）は上面図（スプリング等は省略）であり、リニアガイド３３がフットボード９の四隅に設けられており、案内レール３４およびスライダー３５により構成される。【００６１】
また、図８（Ａ）〜（Ｇ）は、フットボード９に対してリニアガイド３３を取り付ける、取り付け位置のパターン例を示しているが、リニアガイド３３は基本的にフットボード９が並進運動する位置であればどこに設置しても構わない。【００６２】
さらに、図９は、図８（Ｇ）のリニアガイド３３の取り付け位置のパターンを示す図であり、図９（Ａ）は平面図、（Ｂ）は側面図を示すものである（支柱、ビーター等は省略）。底部フレーム３の上面の前方には、リニアガイド３３の案内レール３４がフットボード９を両側から挟むように設置され、前記案内レール３４を上下にスライド可能なスライダー３５がフットボード９の前方に固設されている。【００６３】
なお、リニアガイド３３の基本構造は案内レール３４およびスライダー３５から構成されているところ、それらのいずれをフットボード９側に設置し、若しくは底部フレーム３側に設置するかは適宜、選択変更可能である。
【実施例６】
【００６４】
図１０（Ａ）は本実施例６の平面図（ビーター、シャフト等は省略）であり、図１０（Ｂ）は側面図である。【００６５】
本実施例６は、基本的に実施例１〜５と共通する技術的思想であり、ボード並進機構９１として、底部フレーム３の上面に支柱フレーム４，５を設置し、その支柱フレーム４，５の内側にリニアガイド３３の案内レール３４を設けて一体的に構成し、フットボード９の両側面に案内レール３４に滑合されるスライダー３５を固設したものである。【００６６】
図１０（Ｂ）において、支柱フレーム４，５には、アングルを調整するティルター部３６が設けられており、この調整手段としてはギア式、ボール式等各種存在するが、適宜選択可能であり限定されるものではない。このように支柱フレーム４，５にティルター部３６を設けてアングル調整が可能になることにより、床面に対してフットボード９の角度を任意に変更することができ、演奏者の好みに応じたセッティングが可能となる。【００６７】
また、図１０（Ｂ）に示すように、フットボード９の後端側と底部フレーム３ないし床との間には、並進運動するフットボード９の過剰ストロークを抑止するストッパーが配置されている。このストッパーは、演奏者の踏み込み操作によってドラム用フットペダル１のビーター１０がドラムヘッドに打撃したとほぼ同時に機能する高さを備えており、前記ドラム用フットペダル１の各リンク機構部の支点から離れた位置であって各リンク機構部とフットボード９の耐荷重性を補えると思われる位置および角度を考慮して配置されている。【００６８】
なお、本実施例６におけるストッパー３７は底部フレーム３上に設置しているが、これに限られるものではなく、例えば図１１（Ｄ）に示すように、フットボード９の下面に取り付けても構わない。また、素材は特に限定されないが、ストッパー３７が機能する際、ストッパー３７の端部とフットボード９の下面（フットボード９に装着にした場合は底部フレーム３の上面ないし床面）と干渉することになり、ある程度衝撃が発生するので干渉部分にゴムやコイルスプリングなどの衝撃吸収材を用いることが望ましい。図１１（Ａ）〜（Ｄ）では、参考のため、ストッパー３７の様々な取り付け位置を例示する。【００６９】
また、図１１（Ｃ）に示すように、ストッパー３７には、その外周にスプリング３９が取り付けられており、ビーター１０およびフットボード９の復帰手段１２の付勢力を補助しうる復帰補助手段３９として機能するものである。【００７０】
本実施例６における復帰補助手段３９としてのスプリング３９は、フットボード９が踏み込まれることにより付勢力を発揮し、その反力によって復帰手段ｌ２によるビーター１０およびフットフットボード９の復帰を補助するようになっている。【００７１】
この復帰補助手段３９を設けることによって、復帰手段１２の付勢力を適宜弱くすることができるため、フットボード９を踏み込む力を小さくできる。つまり、バスドラムＤにビーター１０を叩きつけるのに必要なフットボード９の踏み込む力をより弱くすることができるため、疲労の蓄積を小さくできるし、年少者や高齢者等の脚力の弱い人にとっても操作し易くなるというメリットがある。【００７２】
なお、図示しないが、復帰補助手段３９は、スプリング３９をストッパー３７と別設してもよい。またスプリング３９以外の板バネ等からなる弾性部材を用いても構わない。
【実施例７】
【００７３】
実施例７は、基本的に実施例１〜６と共通する技術的思想であり、図１２に示すように、ボード並進機構９１として第一揺動部材のアッパーアーム１３ａ，１３ｂと第二揺動部材のロワーアーム１４ａ，１４ｂとが、フットボード９の下面と底部フレーム３との間に設けられるとともに、上下動幅調整手段９２が備えられている。また、本実施例７では、フットボード９の後端側下方における底部フレーム３に足を支点として置ける踏み台９３が配置されている。【００７４】
本実施例７における上下動幅調整手段９２は、アッパーアーム１３ａ，１３ｂを連結する前方縦リンク９４に形成された複数の連結穴９５から構成されており、適宜、連結位置を選択可能とされている。なお、これらの複数の連結穴９５はフットボード９側の後方縦リンク９６に形成してもよい。【００７５】
前記上下動幅調整手段９２は、前端部の上下動幅と後端部の上下動幅とを異なるように調整することができる。具体的には、前端側の連結穴９５同士の幅を広げることにより、後端部の上下動幅に対する前端部の上下動幅を大きくすることができ、逆に、後端側の連結穴９５同士の幅を広げることにより、後端部の上下動幅に対する前端部の上下動幅を小さくすることができる。【００７６】
なお、上下動振幅調整手段における、フットボード９の後端部と前端部の上下動幅の調整許容比率は１：６〜６：１の範囲に設定することが望ましい。特に従来から慣用されているスライド奏法あるいはアップダウン奏法を考慮して、後端部と前端部の上下動幅の比率を１：１〜１：２の範囲内にしてもよい。【００７７】
以上のように前端部の上下動幅と後端部の上下動幅とを任意に調整可能に構成することにより、従来からあるフットボードの後端部を支点とするドラム用フットペダルに慣れ親しんだ演奏者でも抵抗なく演奏することができ、しかもより効果的な新たな奏法が生み出される可能性がある。【００７８】
また、図１２に示すように、踏み台９３は、足を置くための台であり、踏み込み操作の際には踵などを支点として支えるためのものである。アップダウン奏法では、１打目が踏み込みすぎないようにすることもできる。【００７９】
この踏み台９３の構成は、特に限定されるものではなく、配置位置が調整可能であったり、高さが調節可能な構成であってもよく、さらに着脱および交換可能に構成されていてもよい。また、踏み台の上面は、踵などを置いたまま踏み込み操作が容易になるように、適度な湾曲形状に形成されていることが望ましい。【００８０】
なお、本発明に係るドラム用フットペダル１は、前述した各実施例に限定されるものではなく、適宜変更することができる。【００８１】
例えば、演奏者の奏法や好みに対応するためのフットボード９の角度を調整する手段として、図１２や図１３に示すように、踏力伝達部材８に長さ調整部８１を備えてもよい。長さ調整部８１の形状や素材は、特に限定されるものではなく、例えば、踏力伝達部材８を上下に２分割された剛体棒によって構成し、それぞれに溝穴を設けて任意の位置でビス等により固定するようにしてもよい。【００８２】
また、ビーター１０によりバスドラムＤのヘッドを叩くためのフットボード９の踏み幅を調整する手段として、図１２から図１４に示すように、ロッカー７と踏力伝達部材８との接続部分にスライド部７１を設け、シャフト６に対する腕の長さを調整できるような構成にしてもよい。【００８３】
また、本発明のドラム用フットペダル１は、バスドラムＤ用に限定されるものではなく、ドラム用ペダルとして電子ドラム等に使用してもよい。
【符号の説明】
【００８４】
１  ドラム用フットペダル
３  底部フレーム
４  支柱フレーム
５  支柱フレーム
９  フットボード
１３ａ  第一揺動部材（アッパーアーム）
１３ｂ  第一揺動部材（アッパーアーム）
１４ａ  第二揺動部材（ロワーアーム）
１４ｂ  第二揺動部材（ロワーアーム）
１５  連結部
１８  第一揺動部材フロント部
１９  第一揺動部材リア部
２０  アジャストスクリュー部
２１  第一揺動部材フロント部
２２  フロント部軸体
２３  第一揺動部材リア部
２４  リア部軸体
２５  軸支部
２６  リンクアーム
２７  リンクアーム
３３  リニアガイド
３４  案内レール
３５  スライダー
３６  ティルター部
３７  ストッパー
３８  ゴム
３９  復帰補助手段（スプリング）
７１  スライド部
８１  長さ調整部
９１  ボード並進機構
９２  上下動幅調整手段
９３  踏み台
９４  前方縦リンク
９５  連結穴
９６  後方縦リンク
９７  角度調整手段
Ｄ  バスドラム
【図１】
2011062243.tif 000003
【図２】
2011062243.tif 000004
【図３】
2011062243.tif 000005
【図４】
2011062243.tif 000006
【図５】
2011062243.tif 000007
【図６】
2011062243.tif 000008
【図７】
2011062243.tif 000009
【図８】
2011062243.tif 000010
【図９】
2011062243.tif 000011
【図１０】
2011062243.tif 000012
【図１１】
2011062243.tif 000013
【図１２】
2011062243.tif 000014
【図１３】
2011062243.tif 000015
【手続補正書】
【提出日】平成24年2月13日(2012.2.13)
【手続補正１】
【補正対象書類名】特許請求の範囲
【補正対象項目名】全文
【補正方法】変更
【補正の内容】
【特許請求の範囲】
【請求項１】
フレームに取り付けられたフットボードの踏み込み操作によってビーターを回動させ、ドラムのヘッドを打撃するドラム用フットペダルであって、
前記フットボードは、後端側と前端側とで踏み分け可能な前後縦長形状に構成されており、
前記フットボードの前端部および後端部を上下動可能に支持するとともに前記フットボードを上下に並進運動させるボード並進機構を備え、
前記ボード並進機構は、少なくとも２つの揺動部材を有しており、これら揺動部材の各一端部が前記フレームに異なる位置を基端部として回転自在に連結されているとともに、前記各揺動部材の各他端部が前記フットボードに異なる位置を自由端部として回転自在に連結されているドラム用フットペダル。
【請求項２】
（削除）
【請求項３】
前記ボード並進機構は、２つの揺動部材の各一端部が底部フレームに異なる位置を基端部として回転自在に連結されているとともに、各他端部が前記フットボードの下面に異なる位置を自由端部として回転自在に連結されている請求項１に記載のドラム用フットペダル。
【請求項４】
前記ボード並進機構には、前記フットボードの前端部の上下動幅および／または前記フットボードの後端部の上下動幅を調整可能な上下動幅調整手段が備えられている請求項１または請求項３に記載のドラム用フットペダル。
【請求項５】
前記上下動幅調整手段において、前記フットボードの後端部と前端部の上下動幅の調整許容比率は１：６〜６：１の範囲に設定されている請求項４に記載のドラム用フットペダル。
【請求項６】
前記フットボードの後端部の下方には、踏み込み操作時の踵を支える踏み台が配置されている請求項１または請求項３から請求項５のいずれかに記載のドラム用フットペダル。
【請求項７】
前記踏み台は、前後の位置および／または高さを調整可能に構成されている請求項６に記載のドラム用フットペダル。
【請求項８】
前記フットボードの下方には、前記ビーターが前記ドラムの前記ヘッドを打撃したときの前記フットボードの高さと等しい高さを有し、前記フットボードの過剰ストロークを抑制するストッパーが配置されている請求項１または請求項３から請求項７のいずれかに記載のドラム用フットペダル。
【請求項９】
前記ビーターおよび前記フットボードを操作前の待機位置に復帰させる復帰手段が設けられているとともに、前記復帰手段を補助する復帰補助手段が前記フットボードの下方に配置されている請求項１または請求項３から請求項８のいずれかに記載のドラム用フットペダル。
【国際調査報告】
2011062243.tif 000016
2011062243.tif 000017
2011062243.tif 000018
2011062243.tif 000019